(57)【要約】【課題】指紋センシングシステムを駆動する方法を提供する。【解決手段】ユーザ指紋領域の一部に対してセンシングされた部分映像において、指紋ピッチを分析し、分析された指紋ピッチに基づいて、センシング解像度を決定し、決定されたセンシング解像度で指紋領域をセンシングすることにより、ユーザの指紋映像を獲得する。【選択図】図１７
2020095726.tif 000002
【特許請求の範囲】
【請求項１】
指紋センシングシステムを駆動する方法であって、
ユーザ指紋領域の一部に対してセンシングされた部分映像を獲得する段階と、
前記獲得された部分映像から、指紋ピッチの分布を分析する段階と、
前記分析された指紋ピッチの分布に対応するスーパーピクセルの大きさに基づいて、前記ユーザに関し、前記指紋センシングシステムを駆動するための適応的解像度を決定する段階と、
前記決定された適応的解像度に前記指紋センシングシステムを設定する段階と、
前記決定された適応的解像度で駆動する前記指紋センシングシステムを利用してセンシングされた指紋領域に係わる前記ユーザの指紋映像を獲得する段階と、を含む方法。
【請求項２】
前記指紋ピッチの分布は、
前記指紋領域に含まれたリッジライン間のリッジ間隔の分布を含む請求項１に記載の方法。
【請求項３】
前記分析する段階は、
前記ユーザに対して、最大指紋ピッチ、最も頻繁な指紋ピッチ、最小指紋ピッチ、及び平均指紋ピッチのうち少なくとも一つを分析することを特徴とする請求項１に記載の方法。
【請求項４】
前記決定する段階は、
前記指紋センシングシステムによって支援される最大センシング解像度内で、前記分析された分布において、相対的に指紋ピッチが大きいと分析された場合、前記適応的解像度が低下されるように決定し、前記分析された分布において、相対的に指紋ピッチが小さいと分析された場合、前記適応的解像度が上昇されるように決定する、請求項１〜３のいずれか一項に記載の方法。
【請求項５】
前記決定する段階は、
前記分析された分布に対し、前記指紋領域をセンシングするとき、リッジとバレーとの相互静電容量の変化量差を最大にするためのサブピクセルの個数を決定することにより、前記スーパーピクセルの大きさを決定する段階を含み、
前記決定された適応的解像度は、
前記決定されたスーパーピクセルの大きさに反比例する相関関係を有する、請求項４に記載の方法。
【請求項６】
前記部分映像を獲得する段階は、
前記指紋センシングシステムによって支援される最大センシング解像度の半分の解像度で、前記指紋領域の一部に対してセンシングされた前記部分映像を獲得し、
前記決定する段階は、
前記分析された分布に対し、前記指紋領域をセンシングするとき、リッジとバレーとの相互静電容量の変化量差を最大にするためのスーパーピクセルの大きさに対応するセンシング解像度を、前記適応的解像度に決定する、請求項１〜５のいずれか一項に記載の方法。
【請求項７】
前記部分映像を獲得する段階は、
互いに異なる複数の候補適応的解像度それぞれにおいて、前記指紋領域の一部に対して複数回センシングされた、前記候補適応的解像度それぞれに対応する候補部分映像を獲得し、
前記決定する段階は、
前記分析された分布に対し、前記指紋領域の一部が正確にセンシングされた順に前記候補部分映像をスコアリングする段階と、
前記スコアリング結果、前記候補部分映像のうち、最も正確にセンシングされた候補部分映像に対応する候補適応的解像度を、前記適応的解像度に決定する段階と、を含む、請求項１に記載の方法。
【請求項８】
前記分析された分布に対応する前記指紋センシングシステムのビニングサイズを決定する段階をさらに含み、
前記指紋映像を獲得する段階は、
前記決定された適応的解像度、及び前記決定されたビニングサイズに基づいて、前記指紋映像を獲得する、請求項１〜７のいずれか一項に記載の方法。
【請求項９】
前記スーパーピクセルは、
前記決定されたビニングサイズにおいて、単位ビンに対応する、請求項８に記載の方法。
【請求項１０】
前記決定された適応的解像度は、ユーザ別にマッピングされて決定される、請求項１〜９のいずれか一項に記載の方法。
【請求項１１】
前記指紋映像を獲得する段階は、
前記ユーザが、前記指紋センシングシステムに、前記指紋映像を登録するために遂行されるか、あるいは前記指紋センシングシステムを利用し、前記ユーザを認証するために遂行される、請求項１〜１０のいずれか一項に記載の方法。
【請求項１２】
請求項１〜１１のいずれか一項に記載の方法をコンピューターで実行させるためのプログラム。
【請求項１３】
指紋センシングシステムであって、
コンピュータープログラムに従い、読み取り及び動作を遂行する少なくとも１つのプロセッサと、
前記少なくとも１つのプロセッサによるアクセスのために、前記コンピュータープログラムの少なくとも一部分を保存する少なくとも１つのメモリと、を有し、
前記少なくとも１つのプロセッサは、
ユーザ指紋領域の一部に対してセンシングされた部分映像を獲得し、
前記獲得された部分映像から、指紋ピッチの分布を分析し、
前記分析された指紋ピッチの分布に対応するスーパーピクセルの大きさに基づいて、前記ユーザに関し、前記指紋センシングシステムを駆動するための適応的解像度を決定し、
前記決定された適応的解像度に前記指紋センシングシステムを設定し、
前記決定された適応的解像度で駆動する前記指紋センシングシステムを利用してセンシングされた指紋領域に係わる前記ユーザの指紋映像を獲得する指紋センシングシステム。
【請求項１４】
前記指紋ピッチの分布は、
前記指紋領域に含まれたリッジライン間のリッジ間隔の分布を含む、請求項１３に記載の指紋センシングシステム。
【請求項１５】
前記少なくとも１つのプロセッサは、
前記ユーザに対して、最大指紋ピッチ、最も頻繁な指紋ピッチ、最小指紋ピッチ、及び平均指紋ピッチのうち少なくとも一つを分析する、請求項１３に記載の指紋センシングシステム。
【請求項１６】
前記少なくとも１つのプロセッサは、
前記指紋センシングシステムによって支援される最大センシング解像度内で、前記分析された分布において、相対的に指紋ピッチが大きいと分析された場合、前記適応的解像度が低下されるように決定し、前記分析された分布において、相対的に指紋ピッチが小さいと分析された場合、前記適応的解像度が上昇されるように決定する、請求項１３〜１５のいずれか一項に記載の指紋センシングシステム。
【請求項１７】
前記少なくとも１つのプロセッサは、
前記分析された分布に対し、前記指紋領域をセンシングするとき、リッジとバレーとの相互静電容量の変化量差を最大にするためのサブピクセルの個数を決定することにより、前記スーパーピクセルの大きさを決定し、
前記決定された適応的解像度は、
前記決定されたスーパーピクセルの大きさに反比例する相関関係を有する、請求項１６に記載の指紋センシングシステム。
【請求項１８】
前記少なくとも１つのプロセッサは、
前記指紋センシングシステムによって支援される最大センシング解像度の半分解像度で、前記指紋領域の一部に対してセンシングされた前記部分映像を獲得し、
前記分析された分布に対し、前記指紋領域をセンシングするとき、リッジとバレーとの相互静電容量の変化量差を最大にするためのスーパーピクセルの大きさに対応するセンシング解像度を、前記適応的解像度に決定することを特徴とする請求項１３〜１７のいずれか一項に記載の指紋センシングシステム。
【請求項１９】
前記少なくとも１つのプロセッサは、
互いに異なる複数の候補適応的解像度それぞれにおいて、前記指紋領域の一部に対して複数回センシングされた、前記候補適応的解像度それぞれに対応する候補部分映像を獲得し、
前記分析された分布に対し、前記指紋領域の一部が正確にセンシングされた順に前記候補部分映像をスコアリングし、前記スコアリング結果、前記候補部分映像のうち、最も正確にセンシングされた候補部分映像に対応する候補適応的解像度を、前記適応的解像度に決定する、請求項１３に記載の指紋センシングシステム。
【請求項２０】
前記少なくとも１つのプロセッサは、
前記分析された分布に対応する前記指紋センシングシステムのビニングサイズをさらに決定し、
前記ビニングサイズが決定された場合、前記決定された適応的解像度、及び前記決定されたビニングサイズに基づいて、前記指紋映像を獲得し、
前記スーパーピクセルは、前記決定されたビニングサイズにおいて、単位ビンに対応する、請求項１３〜１９のいずれか一項に記載の指紋センシングシステム。
【発明の詳細な説明】
【技術分野】
【０００１】
本発明は、指紋センシングシステムを駆動する方法、指紋センシングシステムを駆動する方法をコンピューターで実行させるためのプログラム、及び指紋センシングシステムに関する。
【背景技術】
【０００２】
指紋、音声、顔、手または虹彩のような個人の固有の特徴を利用した個人認証の必要性が徐々に高まっている。個人認証機能は、金融機器、出入り統制機、モバイル装置、ノート型パソコンなどで主に使用され、最近、スマートフォンのようなモバイル装置が広く普及したことにより、スマートフォン内に保存された多くのセキュリティ情報を保護するために、個人認証のための指紋認識技術が採用されている。
【先行技術文献】
【特許文献】
【０００３】
【特許文献１】特開２００２−２５９９５６号公報
【発明の概要】
【発明が解決しようとする課題】
【０００４】
本発明が解決しようとする課題は、指紋認識のための指紋センシングシステムを駆動する方法、指紋センシングシステムを駆動する方法をコンピューターで実行させるためのプログラム、及び指紋センシングシステムを提供することである。本実施形態がなすべき技術的課題は、前述のような技術的課題に限定されるものではなく、以下の実施形態から他の技術的課題をも類推され得る。
【課題を解決するための手段】
【０００５】
一側面によれば、指紋センシングシステムを駆動する方法は、ユーザ指紋領域の一部に対してセンシングされた部分映像を獲得する段階と、前記獲得された部分映像から指紋ピッチの分布を分析する段階と、前記分析された分布に対応するスーパーピクセルの大きさに基づいて、前記ユーザに関し、前記指紋センシングシステムを駆動するための適応的解像度（ａｄａｐｔｉｖｅ  ｒｅｓｏｌｕｔｉｏｎ）を決定する段階と、前記決定された適応的解像度に前記指紋センシングシステムを設定する段階と、前記決定された適応的解像度で駆動する前記指紋センシングシステムを利用してセンシングされた指紋領域に係わる前記ユーザの指紋映像を獲得する段階と、を含む。
【０００６】
他の側面によれば、上記方法をコンピューターで実行させるためのプログラムを提供する。
【０００７】
さらに他の側面によれば、指紋センシングシステムは、コンピュータープログラムに従い、読み取り及び動作を遂行する少なくとも１つのプロセッサと、前記少なくとも１つのプロセッサによるアクセスのために、前記コンピュータープログラムの少なくとも一部分を保存する少なくとも１つのメモリと、を含み、前記少なくとも１つのプロセッサは、ユーザ指紋領域の一部に対してセンシングされた部分映像を獲得し、前記獲得された部分映像から指紋ピッチの分布を分析し、前記分析された分布に対応するスーパーピクセルの大きさに基づいて、前記ユーザに関し、前記指紋センシングシステムを駆動するための適応的解像度を決定し、前記決定された適応的解像度に前記指紋センシングシステムを設定し、前記決定された適応的解像度で駆動する前記指紋センシングシステムを利用してセンシングされた指紋領域に係わる前記ユーザの指紋映像を獲得する。
【図面の簡単な説明】
【０００８】
【図１】指紋映像生成システムの一例を図示した図面である。
【図２】タッチパネルのノードそれぞれに対応する相互静電容量を概念的に示した図面である。
【図３】一実施形態による、電子装置に搭載された指紋センシングのためのタッチパネルの側面図について説明するための図面である。
【図４】一実施形態による指紋領域について説明するための図面である。
【図５】一実施形態による、男性と女性との指紋ピッチの分布差について説明するためのグラフである。
【図６】一実施形態による、図１の指紋センシングシステムにおいて、ユーザ指紋に係わる指紋ピッチの分布を考慮し、センシング解像度を適応的に決定する方法について説明するための図面である。
【図７】一実施形態によって、リッジとバレーとの相互静電容量の変化量差ΔＣＭと指紋ピッチとを考慮し、適応的解像度を決定する方式について説明するための図面である。
【図８】一実施形態によって、スーパーピクセルの大きさによる相互静電容量の変化量差ΔＣＭについて説明するための図面である。
【図９】一実施形態によって、指紋ピッチの分布によって適応的解像度を決定することについて説明するための図面である。
【図１０】部分映像を獲得して適応的解像度を決定する方法の一例である。
【図１１】部分映像を獲得して適応的解像度を決定する方法の他の一例である。
【図１２Ａ】一実施形態によって、タッチパネルが互いに異なる適応的解像度で駆動される場合について説明するための図面である。
【図１２Ｂ】一実施形態によって、タッチパネルが互いに異なる適応的解像度で駆動される場合について説明するための図面である。
【図１２Ｃ】一実施形態によって、タッチパネルが互いに異なる適応的解像度で駆動される場合について説明するための図面である。
【図１３】一実施形態による、スーパーピクセルの大きさとビニングサイズ（ｂｉｎｎｉｎｇ  ｓｉｚｅ）との関係について説明するための図面である。
【図１４Ａ】一実施形態によって、解像度調節なしに、ビニングサイズのみを変更する例示について説明するための図面である。
【図１４Ｂ】一実施形態によって、解像度調節なしに、ビニングサイズのみを変更する例示について説明するための図面である。
【図１５】一実施形態によって、適応的解像度とビニングサイズとを同時に調節する場合について説明するための図面である。
【図１６Ａ】一実施形態によって、適応的解像度とビニングサイズとを同時に変更する例示について説明するための図面である。
【図１６Ｂ】一実施形態によって、適応的解像度とビニングサイズとを同時に変更する例示について説明するための図面である。
【図１６Ｃ】一実施形態によって、適応的解像度とビニングサイズとを同時に変更する例示について説明するための図面である。
【図１７】一実施形態による指紋センシングシステムを駆動する方法のフローチャートである。
【発明を実施するための形態】
【０００９】
本実施形態で使用される用語は、可能な限り、現在汎用されている一般的な用語を選択したが、それは、当分野に携わる技術者の意図、判例、または新たな技術の出現などによっても異なる。また、特定の場合、出願人が任意に選択した用語もあり、その場合、説明部分において、詳細にその意味を記載する。従って、明細書で使用される用語は、単純な用語の名称ではなく、その用語が有する意味と、明細書の全般にわたる内容とを基に定義されなければならない。
【００１０】
明細書全体において、ある部分がある構成要素を「含む」とするとき、それは、特記されない限り、他の構成要素を除くものではなく、他の構成要素をさらに含んでもよいということを意味する。また、明細書に記載された「〜部」、「〜モジュール」というような用語は、少なくとも１つの機能や動作を処理する単位を意味し、それは、ハードウェアまたはソフトウェアによって具現されるか、あるいはハードウェアとソフトウェアとの結合によっても具現される。
【００１１】
以下では、添付した図面を参照し、本実施形態について詳細に説明する。しかし、本実施形態は、さまざまに異なる形態にも具現され、ここで説明する例に限定されるものではない。
【００１２】
以下では、図面を参照し、本実施形態について詳細に説明する。
【００１３】
図１は、指紋映像生成システムの一例を図示した図面である。
【００１４】
図１を参照すれば、指紋センシングシステム１０は、タッチパネル（ｔｏｕｃｈ  ｐａｎｅｌ）１００、送信回路１１０、受信回路１２０、プロセッサ１３０、及びメモリ１４０を含む。図１の指紋センシングシステム１０には、関連構成要素だけが図示されているが、他の汎用的な構成要素がさらに含まれてもよいということは、関連技術分野において当業者であるならば、理解することができるであろう。
【００１５】
図１に図示されたプロセッサ１３０は、多数の論理ゲートのアレイによっても具現され、汎用的なマイクロプロセッサと、該マイクロプロセッサで実行されるプログラムが保存されたメモリとの組み合わせによっても具現される。一方、プロセッサ１３０は、少なくとも１つのプロセッサ（または、プロセッシングユニット）を含んでも具現される。また、それと異なる形態のハードウェア構成によってもプロセッサ１３０が具現されるということは、本実施形態が属する技術分野において当業者であるならば、理解することができるであろう。
【００１６】
タッチパネル１００は、複数の駆動電極Ｔｘ、及び複数の駆動電極Ｔｘと交差する方向に形成された複数の検出電極Ｒｘを含む。図１においては、説明の便宜のために、駆動電極Ｔｘ及び検出電極Ｒｘの個数がそれぞれ１０個であるように図示されているが、それに制限されるものではなく、駆動電極Ｔｘ及び検出電極Ｒｘの個数は、多様である。
【００１７】
送信回路１１０は、駆動電極Ｔｘに駆動信号を印加するモジュールを含み、受信回路１２０は、検出電極Ｒｘから電気信号を測定するモジュールを含み得る。
【００１８】
タッチパネル１００の駆動電極Ｔｘと検出電極Ｒｘは、互いに交差する方向に形成され得る。図１は、例示的に、駆動電極Ｔｘと検出電極Ｒｘとが互いに直交するように図示されているが、それに制限されるものではない。言い換えれば、駆動電極Ｔｘが形成された方向と、検出電極Ｒｘが形成された方向との角度は、９０°でなくてもよい。
【００１９】
タッチパネル１００上にユーザの指が接近すれば、タッチパネル１００の駆動電極Ｔｘのそれぞれと、検出電極Ｒｘとの相互静電容量（ｍｕｔｕａｌ  ｃａｐａｃｉｔａｎｃｅ）が異なり得る。例えば、ユーザの指の指紋パターンの特性により、タッチパネル１００において、駆動電極Ｔｘと検出電極Ｒｘとが交差するノードそれぞれでの相互静電容量が互いに異なるように変わり得る。駆動電極Ｔｘの間隔、及び検出電極Ｒｘの間隔が狭いほど、指紋領域をセンシングするためのセンシング解像度（ｓｅｎｓｉｎｇ  ｒｅｓｏｌｕｔｉｏｎ）が高くなる。タッチパネル１００上には、駆動電極Ｔｘ及び検出電極Ｒｘを保護するための保護フィルムがさらに含まれてもよい。
【００２０】
駆動電極Ｔｘ及び検出電極Ｒｘは、線電極によっても構成される。また、駆動電極Ｔｘそれぞれは、駆動電極Ｔｘと検出電極Ｒｘとが交差するノード間に設けられた所定のパターンをさらに含んでもよい。前述のパターンは、多角形、円形のような多様な形態を有することができる。同様に、検出電極Ｒｘそれぞれも、前述のノード間に設けられた所定のパターンをさらに含んでもよい。
【００２１】
送信回路１１０は、駆動電極Ｔｘに駆動信号を印加することができる。例えば、送信回路１１０は、駆動電極Ｔｘそれぞれに電圧パルスを印加することができる。受信回路１２０は、検出電極Ｒｘから電気信号を得ることができる。このとき、受信回路１２０は、検出電極Ｒｘそれぞれに流れる電流を得るか、あるいは受信回路１２０は、検出電極Ｒｘそれぞれの電位を得ることができる。
【００２２】
プロセッサ１３０は、指紋センシングシステム１０に含まれる送信回路１１０及び受信回路１２０の動作を全般的に制御する。例えば、プロセッサ１３０は、送信回路１１０が駆動電極Ｔｘそれぞれに印加する電圧パルスの大きさ、印加時間などを制御することができる。また、プロセッサ１３０は、駆動電極Ｔｘのうち一部に電圧パルスが印加されるように、送信回路１１０を制御することができる。
【００２３】
プロセッサ１３０は、受信回路１２０が受信した電流または電位を利用し、ユーザ指紋と関連する映像データ、特徴点（ｍｉｎｕｔｉａｅ）データなどを生成して処理することができる。例えば、プロセッサ１３０は、受信回路１２０が受信した電流または電位を利用し、指紋領域に対応する指紋映像データを生成及び処理し、映像データに含まれたピクセル値を分析し、特徴点データを生成及び処理することができる。
【００２４】
一方、プロセッサ１３０は、指紋映像データ及び特徴点データを分析することにより、指紋センシングシステム１０を駆動するためのセンシング解像度を、ユーザの指紋特性に合わせて適応的に変更させることができる。これと関連する説明は、以下、図面を参照し、さらに具体的に説明する。
【００２５】
メモリ１４０は、プロセッサ１３０の動作に必要なコンピュータープログラムを保存する。例えば、メモリ１４０に保存されたコンピュータープログラム内の命令語により、プロセッサ１３０は、読み取り及び動作を遂行する。また、メモリ１４０は、タッチパネル１００、送信回路１１０、受信回路１２０及びプロセッサ１３０が動作することによって生成されるデータ及びその他情報を保存することができる。図１には、指紋センシングシステム１０が、１つのメモリ１４０を含むように図示されているが、それに制限されるものではなく、必要により、指紋センシングシステム１０は、２以上のメモリを含んでもよい。
【００２６】
図２は、タッチパネルのノードそれぞれに対応する相互静電容量を概念的に示した図面である。
【００２７】
図２を参照すれば、駆動電極Ｔｘと検出電極Ｒｘとの相互静電容量は、駆動電極Ｔｘと検出電極Ｒｘとが交差するノードに対応する。
【００２８】
例えば、第１駆動電極Ｔｘ１と第１検出電極Ｒｘ１との相互静電容量Ｃ１１は、第１駆動電極Ｔｘ１と第１検出電極Ｒｘ１とが交差するノードＮ１１に対応する。同様に、ｍ番目（ここで、ｍは、任意の自然数である）駆動電極Ｔｘｍとｎ番目（ここで、ｎは、任意の自然数である）検出電極Ｒｘｎとの相互静電容量Ｃｍｎは、ｍ番目駆動電極Ｔｘｍとｎ番目検出電極Ｒｘｎとが交差するノードＮｍｎに対応する。以下では、ノードＮｍｎにおける相互静電容量は、ｍ番目駆動電極Ｔｘｍとｎ番目検出電極Ｒｘｎとの相互静電容量を意味する。
【００２９】
駆動電極Ｔｘと検出電極Ｒｘとにより、タッチパネル１００において、複数のチャネルが定義される。例えば、あるチャネルは、駆動電極Ｔｘと検出電極Ｒｘとが交差することによって形成されたノードに対応する。例えば、チャネルＣＨ１１は、ノードＮ１１に対応する。
【００３０】
複数のノードそれぞれにおける相互静電容量を測定するために、駆動電極Ｔｘそれぞれに順次に互いに異なる駆動信号を印加することができる。また、検出電極Ｒｘそれぞれにおいて、個別的に電気信号を測定することができる。例えば、相互静電容量Ｃ１１を測定しようとする場合、第１駆動電極Ｔｘ１にだけ駆動信号を印加し、第１検出電極Ｒｘ１で電気信号を測定し得る。同様に、相互静電容量Ｃｍｎを測定しようとする場合、ｍ番目駆動電極Ｔｘｍにだけ駆動信号を印加し、ｎ番目検出電極Ｒｘｎで電気信号を測定し得る。
【００３１】
それぞれのノードでの相互静電容量を測定するため、１つの駆動電極Ｔｘにだけ駆動信号を印加することができる。しかし、指紋センシングシステム１０が、高解像度のセンシング解像度で駆動される場合、駆動電極Ｔｘ間の間隔が非常に狭くなる。駆動電極Ｔｘ間の間隔が狭くなれば、相互静電容量を測定する間に活性化されるチャネルＣＨの面積が狭くなる。活性化されるチャネルＣＨの面積が狭くなれば、獲得される信号の強度が弱くなり、ノードそれぞれで測定される相互静電容量の変化量が過度に小さくなり、正確な測定が困難になる。反対に、指紋センシングシステム１０が低解像度のセンシング解像度で駆動される場合、駆動電極Ｔｘ間の間隔が非常に広くなるために、相互静電容量の変化量が過度に大きくなり（すなわち、活性化されるチャネルＣＨの面積が広くなる）、正確な測定が困難になる。従って、適切な大きさの相互静電容量の変化量と、適切なセンシング解像度との妥協が要求される。
【００３２】
図３は、一実施形態による電子装置に搭載された指紋センシングのためのタッチパネルの側面図について説明するための図面である。
【００３３】
図３を参照すれば、タッチパネル１００は、パッシベーション膜（ｐａｓｓｉｖａｔｉｏｎ  ｌａｙｅｒ）３０２、絶縁膜３０３及び基板３０４の層によって構成され、パッシベーション膜３０２と絶縁膜３０３との間には、検出電極Ｒｘ  ３１０が形成され、絶縁膜３０３と基板３０４との間には、駆動電極Ｔｘ  ３２０が形成される。
【００３４】
電子装置３０の前面には、タッチパネル１００が具備され、タッチパネル１００は、電子装置３０を操作することができるタッチ入力インターフェースに該当する。また、タッチパネル１００は、ユーザの指端３０１の指紋センシングのための指紋センサとしても動作することができる。このとき、タッチパネル１００は、先の図１及び図２で説明されたように、リッジ（ｒｉｄｇｅ）とバレー（ｖａｌｌｅｙ）とのそれぞれに対して互いに異なる相互静電容量（すなわち、相互静電容量の変化量差）を検出することにより、ユーザの指紋パターンを認識することができ、それを介して、ユーザ指紋を識別することができる。
【００３５】
一方、図３においては、説明の便宜のために、タッチパネル１００が電子装置３０の前面に具備され、電子装置３０のタッチ入力インターフェース及び指紋センサとして動作する例示について図示されているが、それに制限されるものではなく、本実施形態によるタッチパネル１００は、指紋映像生成システムのための指紋センサとしてだけ具現される。
【００３６】
図４は、一実施形態による指紋領域について説明するための図面である。
【００３７】
指紋領域４００は、ユーザ別に固有な幾何学的パターンを有しているために、ユーザを識別するための手段に広く活用されている。
【００３８】
図４を参照すれば、指紋領域４００には、多数のリッジ（ｒｉｄｇｅｓ）４１１とバレー（ｖａｌｌｅｙｓ）４１２とによって表現可能な特徴点が含まれる。リッジ４１１は、細部的に、リッジクロスオーバー（ｒｉｄｇｅ  ｃｒｏｓｓｏｖｅｒ）、リッジコア（ｒｉｄｇｅ  ｃｏｒｅ）、リッジ分岐（ｒｉｄｇｅ  ｂｉｆｕｒｃａｔｉｏｎ）、リッジエンディング（ｒｉｄｇｅ  ｅｎｄｉｎｇ）、リッジアイランド（ｒｉｄｇｅ  ｉｓｌａｎｄ）、リッジデルタ（ｒｉｄｇｅ  ｄｅｌｔａ）、リッジポア（ｒｉｄｇｅ  ｐｏｒｅ）などを示し、それらは、ユーザを識別するための固有の特徴点とも解釈される。
【００３９】
本明細書においては、リッジ４１１に該当する、リッジライン４２１及び４２２、または４２２及び４２３間のリッジ間隔（ｒｉｄｇｅ  ｉｎｔｅｒｖａｌ）を指紋ピッチ（ｆｉｎｇｅｒｐｒｉｎｔ  ｐｉｔｃｈ）４２４または４２５という用語で定義する。例えば、指紋ピッチ４２４は、あるリッジ（リッジライン４２１））の中心と、隣接する他のリッジ（リッジライン４２２）の中心との間隔に対応し、指紋ピッチ４２５は、あるリッジ（リッジライン４２２）の一端と、隣接する他のリッジ（リッジライン４２３）の他端との間隔に対応する。一方、他の例として、指紋ピッチ４３３は、バレー４３１及び４３２間の間隔に対応する。すなわち、指紋ピッチは、指紋領域において、リッジとバレーとの対が反復される周期（または、間隔）を意味する用語でもある。ただし、それに制限されるものではなく、指紋ピッチの用語は、他の用語でも代替されて呼称される。
【００４０】
一方、指紋ピッチ４２４、４２５、４３３が大きい指紋であると、指紋ピッチ分布が分析された場合、指紋センシングシステム１０が、比較的高解像度のセンシング解像度で駆動することになれば、ノードそれぞれで測定される相互静電容量の変化量が過度に小さくなり、正確な測定が困難であり、また指紋センシングシステム１０の演算処理量が非効率的に高くなってしまう。反対に、指紋ピッチ４２４、４２５、４３３が小さい指紋であると、指紋ピッチ分布が分析された場合、指紋センシングシステム１０が、比較的低解像度のセンシング解像度で駆動することになれば、ノードそれぞれにおいて測定される相互静電容量の変化量が、指紋領域４００に含まれたリッジ４１１及びバレー４１２を正確に反映させることができない。
【００４１】
一実施形態によるプロセッサ１３０（図１）は、指紋センシングシステム１０が、ユーザ指紋に対して最適化されたセンシング解像度で駆動されるように、ユーザの指紋領域４００に含まれた指紋ピッチ４２４、４２５、４３３の分布を分析し、指紋センシングシステム１０のセンシング解像度を適応的に変更することができる。
【００４２】
図５は、一実施形態による男性と女性との指紋ピッチ分布差について説明するためのグラフである。
【００４３】
図５のグラフ５００を参照すれば、人の指紋において、指紋ピッチ（例えば、リッジ間隔）の分布は、性別、年齢などにより、異なる分布を有することができる。具体的には、女性の最小指紋ピッチは、約３５７μｍであり、女性の最頻指紋ピッチ５２０は、約４３５μｍである。それと異なり、男性の最頻指紋ピッチ５１０は、約４７６μｍであり、男性の最大指紋ピッチは約５５６μｍである。従って、男性と女性との指紋ピッチに係わる分布を考慮せず、男性と女性とのいずれにも対し、同じセンシング解像度（すなわち、駆動電極Ｔｘ，Ｒｘの大きさ、または活性化されるチャネルＣＨの面積）で指紋映像を獲得することになる場合、指紋映像の画質が低くなったり、不要な演算処理が行われたりする。それにより、さらに効率的であって正確な指紋映像の処理のためには、指紋ピッチ（リッジ間隔またはバレー間隔）の分布を考慮した指紋センシングが必要である。
【００４４】
図６は、一実施形態による図１の指紋センシングシステムにおいて、ユーザ指紋に係わる、指紋ピッチの分布を考慮し、センシング解像度を適応的に決定する方法について説明するための図面である。
【００４５】
段階６０１において、プロセッサ１３０は、タッチパネル１００により、ユーザ指紋領域の一部に対してセンシングされた部分映像を獲得する。このとき、ユーザ指紋領域の一部は、指紋領域の中央及びその周辺を含む領域であることが望ましいが、それに制限されるものではなく、ユーザの指紋領域から指紋ピッチを分析することができる領域である場合には、異なる位置の領域でもよい。また、部分映像を獲得しようとする指紋領域の一部に係わる範囲及び位置は、指紋ピッチを分析することができる限り、多様に変更され得る。
【００４６】
段階６０２において、プロセッサ１３０は、獲得された部分映像から、指紋ピッチの分布（以下、「指紋ピッチ分布」とも称する）を分析する。ここで、指紋ピッチの分布は、指紋領域に含まれたリッジライン間のリッジ間隔の分布を含む。または、それに制限されるものではなく、指紋ピッチの分布は、指紋領域に含まれたバレーライン間のバレー間隔の分布にも該当する。指紋ピッチ分布の分析結果、当該ユーザの指紋領域に係わる最大指紋ピッチ（例えば、リッジライン間の最大間隔）、最も頻繁な指紋ピッチ（例えば、リッジライン間の最頻間隔）、最小指紋ピッチ（例えば、リッジライン間の最小間隔）、及び平均指紋ピッチ（例えば、リッジライン間の平均間隔）などが分析される。
【００４７】
一方、ユーザ別に指紋ピッチ分布が固有に異なるので、分析された指紋ピッチ分布は、ユーザ別にマッピングされ、メモリ１４０に保存される。
【００４８】
段階６０３において、プロセッサ１３０は、分析された指紋ピッチ分布に対応するスーパーピクセル（ｓｕｐｅｒ−ｐｉｘｅｌ）の大きさに基づいて、ユーザに対して、指紋センシングシステム１０を駆動するための適応的解像度（ａｄａｐｔｉｖｅ  ｒｅｓｏｌｕｔｉｏｎ）を決定する。
このとき、プロセッサ１３０は、指紋センシングシステム１０によって提供される最大センシング解像度内で、分析された指紋ピッチ分布において、相対的に指紋ピッチが大きいと分析された場合、適応的解像度が低下するように決定し、分析された指紋ピッチ分布において、相対的に指紋ピッチが小さいと分析された場合、適応的解像度が上昇するように決定することができる。先の図５のグラフ５００を例として挙げれば、プロセッサ１３０は、ユーザが男性である場合には、ユーザが女性である場合より、低解像度のセンシング解像度で指紋センシングシステム１０が駆動されるように、適応的解像度を決定することができ、反対に、ユーザが女性である場合には、ユーザが男性である場合より高解像度のセンシング解像度で指紋センシングシステム１０が駆動されるように、適応的解像度を決定することができる。ただし、そのような男性と女性との比較は、端的な例であり、女性が男性より指紋ピッチの大きい場合もあるので、プロセッサ１３０は、単に、ユーザの性別または年齢に基づいて、適応的解像度を決定しなくてもよい。
【００４９】
プロセッサ１３０は、分析された指紋ピッチ分布に関して指紋領域をセンシングするとき、リッジとバレーとの相互静電容量の変化量差を最大にするためのサブピクセルの個数を決定することにより、スーパーピクセルの大きさを決定する。ここで、１つのサブピクセルは、先の図１及び図２で説明された１つのノードに対応する用語である。そして、スーパーピクセルは、複数のサブピクセル（すなわち、複数のノード）がグルーピングされて形成されたサブピクセルアレイを意味する用語である。
【００５０】
高解像度のセンシング解像度を有するタッチパネル１００の場合、複数の駆動電極Ｔｘ間の間隔、及び複数の検出電極Ｒｘ間の間隔が非常に狭くなる。相互静電容量方式のタッチパネル１００には、カバーガラス（cover glass）が具備され、最近では、数百μｍ以上の厚いカバーガラスが利用されている。このとき、相互静電容量の変化量は、パッシベーション膜厚の二乗に反比例するために、数百μｍ以上のパッシベーション膜下電極が配置される場合、指紋のリッジとバレーとによる相互静電容量の変化量差を正確に検出し難い。そのために、駆動電極Ｔｘにおいて、隣接する複数の駆動電極Ｔｘをグルーピングし、検出電極Ｒｘにおいて、隣接する複数の検出電極Ｒｘをグルーピングし、グループ単位で（すなわち、複数の駆動／検出電極）相互静電容量を測定し、指紋をセンシングする方式が、スーパーピクセルを利用するセンシング方式に該当する。
【００５１】
適応的解像度は、スーパーピクセルの大きさに反比例する相関関係を有する。すなわち、スーパーピクセルの大きさが大きくなるほど、１つのグループに含まれるサブピクセル（駆動電極／検出電極）の個数が多くなるために、適応的解像度は、低くなる。
【００５２】
一方、プロセッサ１３０は、ユーザ別に、指紋ピッチ分布が固有に異なるように分析されるので、適応的解像度をユーザ別にマッピングして決定する。
【００５３】
段階６０４において、プロセッサ１３０は、決定された適応的解像度に指紋センシングシステム１０を設定する。例えば、プロセッサ１３０は、指紋センシングシステム１０によって提供される最大センシング解像度内において、第１解像度、第２解像度、…、第Ｎ解像度（Ｎは、自然数である）のうちいずれか１つの解像度でもって、当該ユーザに対して指紋センシングを行うように、適応的解像度を設定する。図６の例によれば、第１解像度から第Ｎ解像度に行くほど、センシング解像度が低下するように例示され、それにより、狭い指紋ピッチの指紋６１１と分析された場合、プロセッサ１３０は、第１解像度（高解像度）に指紋センシングシステム１０を設定することができ、または、広い指紋ピッチの指紋６１２と分析された場合、プロセッサ１３０は、第Ｎ解像度（低解像度）に指紋センシングシステム１０を設定することができる。
【００５４】
一方、第１解像度（高解像度）に指紋センシングシステム１０が設定される場合、リッジとバレーとの相互静電容量の変化量差が小さいので、プロセッサ１３０は、指紋処理のためのパラメータである積分回数を高め、相互静電容量の変化量差を増大させるが、指紋処理速度が若干遅くなる。それと異なり、第Ｎ解像度（低解像度）に指紋センシングシステム１０が設定される場合、プロセッサ１３０は、相互静電容量の変化量差が大きいので、積分回数パラメータをさらに低く設定し、指紋処理速度を速めることができる。
【００５５】
段階６０５において、プロセッサ１３０は、設定された適応的解像度で駆動する指紋センシングシステム１０を利用してセンシングされたユーザの指紋領域に係わるユーザの指紋映像を獲得する。段階６０１においては、指紋ピッチ分布分析のために、ユーザ指紋領域の一部だけがセンシングされたが、それと異なり、段階６０５においては、当該ユーザの全体的な指紋領域がセンシングされる。
【００５６】
例えば、設定された適応的解像度が第１解像度（高解像度）である場合、狭い指紋ピッチを有する指紋映像６２１が獲得され、設定された適応的解像度が第Ｎ解像度（低解像度）である場合、広い指紋ピッチを有する指紋映像６２２が獲得される。
【００５７】
段階６０６において、プロセッサ１３０は、獲得された指紋映像でユーザを登録（ｅｎｒｏｌｌ）するか、あるいは獲得された指紋映像でユーザを認証（ａｕｔｈｅｎｔｉｃａｔｅ）する。
【００５８】
図７は、一実施形態により、リッジとバレーとの相互静電容量の変化量差ΔＣＭと指紋ピッチとを考慮し、適応的解像度を決定する方法について説明するための図面である。
【００５９】
図７によれば、プロセッサ１３０は、センシング解像度を変更するための基準として、相互静電容量の基準変化量差ΔＣＲＥＦを任意の値に設定することができる。具体的には、プロセッサ１３０は、分析された指紋ピッチに対応する相互静電容量の変化量差ΔＣＭが基準変化量差ΔＣＲＥＦを超える場合には、さらに高いセンシング解像度に適応的解像度を決定し、基準変化量差ΔＣＲＥＦ未満である場合には、さらに低いセンシング解像度に適応的解像度を決定することができる。
【００６０】
一方、相互静電容量の変化量差ΔＣＭ及び基準変化量差ΔＣＲＥＦは、サブピクセルに係わる変化量差を意味するが、複数のサブピクセルで構成されたスーパーピクセルに係わる変化量差をも意味する。
【００６１】
すなわち、プロセッサ１３０は、分析された指紋ピッチ分布に対応する適応的解像度を決定するときには、スーパーピクセルの大きさと、当該スーパーピクセルでの相互静電容量の変化量差ΔＣＭとを同時に考慮し、適応的解像度を決定することができる。
【００６２】
図８は、一実施形態によって、スーパーピクセルの大きさによる相互静電容量の変化量差ΔＣＭについて説明するための図面である。
【００６３】
図８を参照すれば、プロセッサ１３０は、先の図７で説明されたように、スーパーピクセルの大きさと、当該スーパーピクセルでのリッジとバレーとの相互静電容量の変化量差ΔＣＭとを同時に考慮し、適応的解像度を決定することができる。
【００６４】
ただし、図８のグラフ８００に図示されたように、指紋ピッチ４５６μｍを有する指紋について、スーパーピクセルの大きさが一定臨界サイズ（例えば、２７０μｍ）より大きくなる場合には、むしろ相互静電容量の変化量差ΔＣＭ（すなわち、サンプリングレート（sampling rate））が低くなる結果がもたらされる。従って、プロセッサ１３０は、適応的解像度を決定するために、相互静電容量の変化量差ΔＣＭと、スーパーピクセルの大きさとの相関関係において、相互静電容量の変化量差ΔＣＭを最大にするスーパーピクセルの大きさを決定することができる。
【００６５】
図９は、一実施形態によって、指紋ピッチの分布により適応的解像度を決定することについて説明するための図面である。
【００６６】
図９を参照すれば、指紋ピッチ分布の分析結果（９００）、指紋ピッチ３２０μｍの指紋（狭い指紋ピッチの女性）、指紋ピッチ４２８μｍの指紋（女性の平均指紋ピッチ）、指紋ピッチ５５６μｍの指紋（広い指紋ピッチの男性）について図示されている。全ての場合において、センシング解像度が最も高い場合（すなわち、５００ｐｐｉ（５１μｍ））、センシングの正確度は、最も高くなる。ただし、センシング解像度が最も高い場合（すなわち、５００ｐｐｉ（５１μｍ））には、プロセッサ１３０の処理速度が最も遅くなる。それは、前述の積分回数が増加し、出力電圧（ｇａｉｎ）データの処理量が多くなるからである。従って、プロセッサ１３０は、センシングの正確度、及び処理速度を共に考慮することにより、最適の適応的解像度を決定することができる。
【００６７】
まず、指紋ピッチ３２０μｍの指紋（狭い指紋ピッチの女性）に対する、５００ｐｐｉ（５１μｍ）、３５０ｐｐｉ（７３μｍ）、２５０ｐｐｉ（１０２μｍ）及び２００ｐｐｉ（１２７μｍ）それぞれの場合に係わる指紋センシングの結果について説明すれば、センシング解像度が低くなるほど、指紋センシングの正確度が急激に低くなることが分かる。従って、プロセッサ１３０は、指紋センシングの正確度を考慮し、５００ｐｐｉ（５１μｍ）を適応的解像度９１０に決定することができる。
【００６８】
次に、指紋ピッチ４２８μｍの指紋（女性の平均指紋ピッチ）に対する、５００ｐｐｉ（５１μｍ）、３５０ｐｐｉ（７３μｍ）、２５０ｐｐｉ（１０２μｍ）及び２００ｐｐｉ（１２７μｍ）それぞれの場合に係わる指紋センシングの結果について説明すれば、センシング解像度が少し低くなっても、指紋センシングの正確度も、若干低くなるだけである。しかし、センシング解像度が少し低くなっても、プロセッサ１３０の処理速度が上昇するという効果があるので、プロセッサ１３０は、３５０ｐｐｉ（７３μｍ）を適応的解像度９２０に決定することができる。
【００６９】
最後に、指紋ピッチ５５６μｍの指紋（広い指紋ピッチの男性）に対する、５００ｐｐｉ（５１μｍ）、３５０ｐｐｉ（７３μｍ）、２５０ｐｐｉ（１０２μｍ）及び２００ｐｐｉ（１２７μｍ）それぞれの場合に係わる指紋センシングの結果について説明すれば、センシング解像度が比較的大きく低下しても、指紋センシングの正確度は大きく低下しない。従って、プロセッサ１３０は、処理速度を考慮し、２５０ｐｐｉ（１０２μｍ）を適応的解像度９３０に決定することができる。
【００７０】
プロセッサ１３０は、図９で説明された方式、すなわち、指紋センシングの正確度と、プロセッサ１３０の処理速度とを考慮する方式を利用することにより、プロセッサ１３０が最も効率的に最適の指紋映像を獲得することができる最適の適応的解像度を決定することができる。
【００７１】
図１０は、部分映像を獲得し、適応的解像度を決定する方法の一例である。
【００７２】
段階１００１において、プロセッサ１３０は、指紋センシングシステム１０によって提供される最大センシング解像度の半分（ｈａｌｆ）解像度で、指紋領域の一部に対してセンシングされた部分映像を獲得する。すなわち、指紋センシングシステム１０は、部分映像の獲得のために、指紋センシングシステム１０の基本センシング解像度（すなわち、最大センシング解像度）で指紋領域の一部をセンシングせず、さらに迅速な処理速度で部分映像が獲得されるように、半分解像度で指紋センシングを行うことができる。
【００７３】
段階１００２において、プロセッサ１３０は、部分映像から、指紋ピッチの分布を分析する。
【００７４】
段階１００３において、プロセッサ１３０は、分析された指紋ピッチ分布に対して指紋領域をセンシングするとき、相互静電容量の変化（すなわち、リッジとバレーとの相互静電容量の変化量差ΔＣＭ）を最大にするためのスーパーピクセルの大きさに対応するセンシング解像度を適応的解像度に決定する。
【００７５】
図１１は、部分映像を獲得し、適応的解像度を決定する方法の他の一例である。図１１は、図１０と異なる方法で部分映像を獲得し、適応的解像度を決定する方法に関する。
【００７６】
段階１１０１において、プロセッサ１３０は、互いに異なる複数の候補適応的解像度それぞれで、指紋領域の一部に対して複数回センシングされた、候補適応的解像度それぞれに対応する候補部分映像を獲得する。
【００７７】
段階１１０２において、プロセッサ１３０は、候補部分映像それぞれから、指紋ピッチの分布を分析する。
【００７８】
段階１１０３において、プロセッサ１３０は、分析された指紋ピッチ分布に対し、指紋領域の一部が正確にセンシングされた順に、候補部分映像をスコアリングする。
【００７９】
段階１１０４において、プロセッサ１３０は、スコアリング結果、候補部分映像のうち、最も正確にセンシングされた候補部分映像に対応する候補適応的解像度を適応的解像度に決定する。
【００８０】
一方、図１０及び図１１で説明された方法は、例示に過ぎないのであって、本実施形態による、部分映像を獲得し、適応的解像度を決定する方法は、これらに制限されるものではなく、部分映像の獲得、指紋ピッチ分布の分析、及び適応的解像度の決定に係わる前述のプロセスが遂行される限り、図１０及び図１１で説明された方法以外の多様な方法によっても遂行され得る。
【００８１】
図１２Ａないし図１２Ｃは、一実施形態によって、タッチパネルが互いに異なる適応的解像度で駆動される場合について説明するための図面である。
【００８２】
図１２Ａないし図１２Ｃを参照すれば、タッチパネル１００が提供する最大センシング解像度は、１，０１６ｐｐｉであり、ピッチは、２５μｍであると仮定する。
【００８３】
図１２Ａを参照すれば、指紋ピッチ分布の分析結果、プロセッサ１３０は、スーパーピクセル１２０１は、５０μｍピッチ（＝２５μｍｘ２）を有すると決定することができる。それにより、スーパーピクセル１２０１の大きさは、２ｘ２サブピクセルアレイに該当する。すなわち、スーパーピクセル１２０１は、２個の駆動電極Ｔｘ１と、２個の検出電極Ｒｘ１とがグルーピングされたものでもある。それにより、プロセッサ１３０は、スーパーピクセル１２０１に対応する適応的解像度は、５０８ｐｐｉ（＝１，０１６ｐｐｉ／２）であると決定することができる。
【００８４】
図１２Ｂを参照すれば、指紋ピッチ分布の分析結果、プロセッサ１３０は、スーパーピクセル１２０２の大きさを７５μｍピッチ（＝２５μｍｘ３）であると決定することができる。それにより、スーパーピクセル１２０２の大きさは、３ｘ３サブピクセルアレイに該当する。すなわち、スーパーピクセル１２０２は、３個の駆動電極Ｔｘ１と、３個の検出電極Ｒｘ１とがグルーピングされたものでもある。それにより、プロセッサ１３０は、スーパーピクセル１２０２に対応する適応的解像度は、３３９ｐｐｉ（≒１，０１６ｐｐｉ／３）であると決定することができる。
【００８５】
図１２Ｃを参照すれば、指紋ピッチ分布の分析結果、プロセッサ１３０は、スーパーピクセル１２０３の大きさを１００μｍピッチ（＝２５μｍｘ４）であると決定することができる。それにより、スーパーピクセル１２０３の大きさは、４ｘ４サブピクセルアレイに該当する。すなわち、スーパーピクセル１２０３は、４個の駆動電極Ｔｘ１と、４個の検出電極Ｒｘ１とがグルーピングされたものでもある。それにより、プロセッサ１３０は、スーパーピクセル１２０３に対応する適応的解像度は、２５４ｐｐｉ（＝１，０１６ｐｐｉ／４）であると決定することができる。
【００８６】
図１２Ａないし図１２Ｃで説明された方法と類似し、タッチパネル１００の駆動電極Ｔｘ及び検出電極Ｒｘは、多様な大きさのスーパーピクセルを構成するためにグルーピングされ、プロセッサ１３０は、指紋ピッチ分布の分析結果により、そのようにグルーピングされたスーパーピクセルを利用してセンシングされた指紋映像を獲得することにより、さらに効率的にユーザ別に最適化された指紋センシングを行うことができる。
【００８７】
図１３は、一実施形態によるスーパーピクセルの大きさと、ビニングサイズ（ｂｉｎｎｉｎｇ  ｓｉｚｅ）との関係について説明するための図面である。
【００８８】
図１３を参照すれば、２５４ｐｐｉのセンシング解像度において、互いに異なるビニングサイズでのリッジとバレーとの相互静電容量の変化量差ΔＣＭと、指紋ピッチとの関係について図示されている。
【００８９】
指紋において指紋ピッチが小さい場合（女性の最小指紋ピッチ（例えば、３５６μｍ））には、ビニングサイズが大きければ、ぼやけ（ｂｌｕｒｒｅｄ）指紋映像を獲得することになる。すなわち、図１３に図示されたように、相互静電容量の変化量差ΔＣＭが、２ｘ２ビニングサイズにおいて、３ｘ３ビニングサイズより大きいことが分かる。それと異なり、指紋ピッチが３９０μｍ以上と広くなった場合には、ビニングサイズが大きいとき（すなわち、３ｘ３ビニングサイズ）、さらに高い感度の指紋映像が獲得される可能性があるということが分かる。
【００９０】
従って、プロセッサ１３０は、前述の適応的解像度の決定と共に、ビニングサイズを同時に調節することにより、さらに効率的に最適化された指紋映像を獲得することができる。
【００９１】
図１４Ａ及び図１４Ｂは、一実施形態によって、解像度調節なしに、ビニングサイズのみを変更する例示について説明するための図面である。
【００９２】
図１４Ａを参照すれば、プロセッサ１３０は、分析された指紋ピッチ分布に基づいて、当該指紋ピッチに最適化されたビニングサイズが２ｘ２であると決定することができる。このとき、１つのビン（ｂｉｎ）１４０１は、２個の駆動電極Ｔｘ１及びＴｘ２と、２個の検出電極Ｒｘ１及びＲｘ２とがグルーピングされたものである。他のビン１４０２及び１４０３それぞれは、１つの電極ずつ隣接する位置において、同一サイズの電極アレイにもグルーピングされる。
【００９３】
図１４Ｂを参照すれば、プロセッサ１３０は、分析された指紋ピッチ分布に基づいて、当該指紋ピッチに最適化されたビニングサイズが３ｘ３であると決定することができる。このとき、１つのビン１４１１は、３個の駆動電極Ｔｘ１、Ｔｘ２及びＴｘ３と、３個の検出電極Ｒｘ１、Ｒｘ２及びＲｘ３とがグルーピングされたものである。
【００９４】
図１５は、一実施形態によって、適応的解像度とビニングサイズとを同時に調節する場合について説明するための図面である。
【００９５】
図１５を参照すれば、１，０１６ｐｐｉセンシング解像度を有する指紋センシングシステム１０において、適応的解像度とビニングサイズとを同時に調節する場合、それぞれに関連するスーパーピクセルの大きさ（すなわち、ピッチ）が例示的に説明されている。
【００９６】
先の図８及び図１３で説明されたところを総合すれば、リッジとバレーとの相互静電容量の変化量差ΔＣＭを最大にするスーパーピクセルの大きさ（すなわち、ピッチ）において、適応的解像度及びビニングサイズを同時に決定し、そのように決定された適応的解像度及びビニングサイズを利用し、指紋センシングを行うことにより、最適の指紋映像が獲得される。
【００９７】
プロセッサ１３０は、適応的解像度とビニングサイズとを同時に調節する場合での相互静電容量の変化量差ΔＣＭを最大にするスーパーピクセルの大きさ（すなわち、ピッチ）によって分析された指紋ピッチ分布に対応する指紋センシングシステム１０のビニングサイズをさらに決定する。その後、プロセッサ１３０は、先に決定された適応的解像度、及びさらに決定されたビニングサイズに基づいて、指紋センシングシステム１０を設定して指紋映像を獲得する。
【００９８】
図１６Ａないし図１６Ｃは、一実施形態によって、適応的解像度とビニングサイズとを同時に変更する例示について説明するための図面である。
【００９９】
図１６Ａないし図１６Ｃを参照すれば、２５μｍピッチの１，０１６ｐｐｉ解像度を有する指紋センシングシステム１０において、５０８ｐｐｉ適応解像度に設定されながら、多様なビニングサイズに駆動される場合について図示されている。
【０１００】
図１６Ａを参照すれば、プロセッサ１３０は、分析された指紋ピッチ分布に基づいて、適応的解像度決定のためのスーパーピクセルの大きさは、２ｘ２（すなわち、５０μｍ（＝２５μｍｘ２ピッチ）であり、ビニングサイズは、２ｘ２であると決定することができる。すなわち、適応的解像度決定のための１つのスーパーピクセルは、２個の駆動電極Ｔｘ１と、２個の検出電極Ｒｘ１とがグルーピングされたものであり、１つのスーパーピクセルは、ビニングサイズでの単位ビン（ｕｎｉｔ  ｂｉｎ）に該当する。一方、ビニングサイズが２ｘ２であるので、結局、４個の駆動電極Ｔｘ１及びＴｘ２を含む駆動電極グループ（Ｔｘ１＆２）、及び４個の検出電極Ｒｘ１及びＲｘ２を含む検出電極グループ（Ｒｘ１＆２）に対応する２ｘ２個のスーパーピクセルがグルーピングされ、指紋センシングのための１つのビン１６０１が構成される。他のビン１６０２及び１６０３も、１つのスーパーピクセルの大きさほど隣接する位置で構成される。
【０１０１】
図１６Ｂを参照すれば、プロセッサ１３０は、分析された指紋ピッチ分布に基づいて、適応的解像度の決定のためのスーパーピクセルの大きさは、２ｘ２（すなわち、５０μｍ（＝２５μｍｘ２ピッチ）であり、ビニングサイズは、３ｘ３であると決定することができる。図１６Ａで説明された方法に類似し、６個の駆動電極Ｔｘ１，Ｔｘ２及びＴｘ３を含む駆動電極グループ（Ｔｘ１＆２＆３）、及び６個の検出電極Ｒｘ１，Ｒｘ２及びＲｘ３を含む検出電極グループ（Ｒｘ１＆２＆３）に対応する３ｘ３個のスーパーピクセルがグルーピングされ、指紋センシングのための１つのビン１６１１が構成される。
【０１０２】
図１６Ｃを参照すれば、プロセッサ１３０は、分析された指紋ピッチ分布に基づいて、適応的解像度の決定のためのスーパーピクセルの大きさは、２ｘ２（すなわち、５０μｍ（＝２５μｍｘ２ピッチ）であり、ビニングサイズは、４ｘ４であると決定することができる。図１６Ａで説明された方法に類似し、８個の駆動電極Ｔｘ１，Ｔｘ２，Ｔｘ３及びＴｘ４を含む駆動電極グループ（Ｔｘ１＆２＆３＆４）、及び８個の検出電極Ｒｘ１，Ｒｘ２，Ｒｘ３及びＲｘ４を含む検出電極グループ（Ｒｘ１＆２＆３＆４）に対応する４ｘ４個のスーパーピクセルがグルーピングされ、指紋センシングのための１つのビン１６２１が構成される。
【０１０３】
一方、図１６Ａないし図１６Ｃに図示されたところ以外にも、指紋センシングシステム１０は、多様なスーパーピクセルの大きさ（すなわち、適応的解像度）、及びビニングサイズによっても駆動される。
【０１０４】
図１７は、一実施形態による指紋センシングシステムを駆動する方法のフローチャートである。図１７を参照すれば、指紋センシングシステムの駆動方法は、前述の指紋センシングシステム１０において、時系列的に処理される段階によって構成される。従って、以下で省略された内容であるとしても、前述の図面で記述された内容は、図１７の方法にも適用される。
【０１０５】
段階１７０１において、プロセッサ１３０は、ユーザ指紋領域の一部に対してセンシングされた部分映像を獲得する。
【０１０６】
段階１７０２において、プロセッサ１３０は、獲得された部分映像から、指紋ピッチの分布を分析する。ここで、プロセッサ１３０は、当該ユーザに対して、最大指紋ピッチ、最も頻繁な指紋ピッチ、最小指紋ピッチ、及び平均指紋ピッチのうち少なくとも一つを指紋ピッチ分布の分析結果として出力することができる。
【０１０７】
段階１７０３において、プロセッサ１３０は、分析された指紋ピッチ分布に対応するスーパーピクセルの大きさに基づいて、ユーザに対して、指紋センシングシステム１０を駆動するための適応的解像度を決定する。
【０１０８】
段階１７０４において、プロセッサ１３０は、決定された適応的解像度に指紋センシングシステム１０を設定する。
【０１０９】
段階１７０５において、プロセッサ１３０は、決定された適応的解像度で駆動する指紋センシングシステム１０を利用してセンシングされた指紋領域に係わるユーザの指紋映像を獲得する。
【０１１０】
一方、前述の方法はコンピューターで実行されるプログラムで作成可能であり、コンピューターで読み取り可能な記録媒体を利用し、前記プログラムを動作させる汎用デジタルコンピューターによっても具現される。また、前述の方法で使用されたデータの構造は、コンピューターで読み取り可能な記録媒体に、多くの手段を介しても記録される。前述のコンピューターで読み取り可能な記録媒体は、記録媒体（例えば、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、ＵＳＢ（ｕｎｉｖｅｒｓａｌ  ｓｅｒｉａｌ  ｂｕｓ）、フロッピーディスク、ハードディスクなど）、光学的読み取り媒体（例えば、ＣＤ−ＲＯＭ（ｃｏｍｐａｃｔ  ｄｉｓｃ  ｒｅａｄ  ｏｎｌｙ  ｍｅｍｏｒｙ）、ＤＶＤ（ｄｉｇｉｔａｌ  ｖｅｒｓａｔｉｌｅ  ｄｉｓｃ）など）のような記録媒体を含む。
【０１１１】
本実施形態と係わる技術分野で当業者であるならば、前述の本質的な特性から外れない範囲で変形された形態に具現されるということを理解することができるであろう。従って、開示された方法は、限定的な観点ではなく、説明的な観点から考慮されなければならず、権利範囲は、前述の説明ではなく、特許請求の範囲に示されており、それと同等な範囲内にある全ての互いに異なる構成を含むものであると解釈されなければならない。
【符号の説明】
【０１１２】
１０    指紋センシングシステム
３０    電子装置
１００    タッチパネル
１１０    送信回路
１２０    受信回路
１３０    プロセッサ
１４０    メモリ
３０１    ユーザの指端
３０２    パッシベーション膜
３０３    絶縁膜
３０４    基板
３１０    検出電極
３２０    駆動電極
【図１】
2020095726.tif 000003
【図２】
2020095726.tif 000004
【図３】
2020095726.tif 000005
【図４】
2020095726.tif 000006
【図５】
2020095726.tif 000007
【図６】
2020095726.tif 000008
【図７】
2020095726.tif 000009
【図８】
2020095726.tif 000010
【図９】
2020095726.tif 000011
【図１０】
2020095726.tif 000012
【図１１】
2020095726.tif 000013
【図１２Ａ】
2020095726.tif 000014
【図１２Ｂ】
2020095726.tif 000015
【図１２Ｃ】
2020095726.tif 000016
【図１３】
2020095726.tif 000017
【図１４Ａ】
2020095726.tif 000018
【図１４Ｂ】
2020095726.tif 000019
【図１５】
2020095726.tif 000020
【図１６Ａ】
2020095726.tif 000021
【図１６Ｂ】
2020095726.tif 000022
【図１６Ｃ】
2020095726.tif 000023
【図１７】
2020095726.tif 000024